(57)【要約】【課題】  小型化、軽量化、および取り扱いの利便性を図った簡易な構成でありながら、使用者の視力に応じた視度に調整することができる。【解決手段】  物体側から順に、両凸形状のレンズＬおよび両凸形状のプリズムＰからなる主光学系、ならびに接合レンズエレメント２が配設されてなる。接合レンズエレメント２は、互いに屈折率が異なる第１の流動性物質２１および第２の流動性物質２２を光軸Ｘに沿って、かつ互いに接合せしめて容器２４内に充填されてなるとともに、電圧印加回路５０から印加される電圧の変化に応じて、第１の流動性物質２１と第２の流動性物質２２との接合面２３の形状が変化する構造を有しており、この接合面２３の形状が変化することにより屈折力が変化するようになっている。さらに、接合レンズエレメント２の構成に関する所定の条件式を満足する。【選択図】          図１
2006276484.tif 000002
【特許請求の範囲】
【請求項１】
眼鏡装置の主光学系よりも瞳側に配される視度調整用装置であって、
屈折力が可変とされた接合レンズエレメントを備え、該接合レンズエレメントは、互いに屈折率が異なる第１の流動性物質および第２の流動性物質を光軸に沿って、かつ互いに接合するように容器内に充填されてなるとともに、印加される電圧の変化に応じて、前記第１の流動性物質と前記第２の流動性物質との接合面の形状が変化する構造を有し、
以下の条件式（１）を満足することを特徴とする視度調整用装置。
０．１＜｜Ｎｄ１−Ｎｄ２｜＜０．５  ・・・  （１）
ただし、
Ｎｄ１：第１の流動性物質のｄ線における屈折率
Ｎｄ２：第２の流動性物質のｄ線における屈折率
【請求項２】
前記接合レンズエレメントの光入射面と光出射面が、いずれも平面により形成されていることを特徴とする請求項１記載の視度調整用装置。
【請求項３】
以下の条件式（２）を満足することを特徴とする請求項１または２記載の視度調整用装置。
０．０１＜Ｌ／│Ｒ│＜０．１  ・・・  （２）
ただし、
Ｒ：接合レンズエレメントの接合面の最大変形時の曲率半径
Ｌ：接合レンズエレメントの厚み
【請求項４】
前記視度調整用装置は、前記主光学系を収納する枠体に対して挿脱可能とされていることを特徴とする請求項１または２記載の視度調整用装置。
【請求項５】
請求項１〜４のうちいずれか１項記載の視度調整用装置を主光学系の瞳側に配してなるとともに、前記接合レンズエレメントに印加する電圧を出力する電圧印加回路を備えていることを特徴とするファインダ装置。
【発明の詳細な説明】
【技術分野】
【０００１】
本発明は、例えばカメラのファインダ装置等の眼鏡装置における、主光学系の瞳側に配される視度調整用装置およびこの視度調整用装置を備えたファインダ装置に関する。
【背景技術】
【０００２】
従来、例えばカメラのファインダ装置においては、撮影者の視力に応じて接眼レンズを交換するようにしたものが知られている（例えば下記特許文献１参照）。また、接眼レンズに視度調整用のアタッチメントレンズを装着して適性な視度を得るようにしたものが知られている。
【０００３】
また、ファインダ装置を構成するレンズの一部を光軸に沿って移動させることにより視度調整を行う方法も知られている（例えば下記特許文献２参照）。
【０００４】
【特許文献１】特開平９−２７４１４８号公報
【特許文献２】特開平８−１１０５５９号公報
【発明の開示】
【発明が解決しようとする課題】
【０００５】
しかし、上記特許文献１に記載されたファインダ装置や接眼レンズにアタッチメントレンズを装着した上記装置は、撮影者が異なる度に接眼レンズ自体や視度調整用のアタッチメントレンズを着脱する操作を行わなければならず、煩に耐えない。
【０００６】
また、上記特許文献２に記載された視度調整用装置は、主光学系の一部のレンズを移動させるための物理的な機構が必要となり、ファインダ装置の構造が複雑化するとともに大型化してしまい、コンパクトなカメラとすることができない。
【０００７】
近年普及しているデジタルカメラでは、小型化、軽量化、取り扱いの利便性が望まれているが、従来のファインダ装置を用いたのでは、このような要求に応えることができない。
【０００８】
なお、このようなカメラのファインダ装置において生じている問題は、双眼鏡や顕微鏡等の他の眼鏡装置においても解決すべき共通の問題となっている。
【０００９】
本発明は、上述した事情に鑑みなされたもので、小型化、軽量化、および取り扱いの利便性を図った簡易な機構でありながら、眼鏡装置の使用者に応じて視度調整を行い得る視度調整用装置およびこれを備えたファインダ装置を提供することを目的とするものである。
【課題を解決するための手段】
【００１０】
本発明の視度調整用装置は、眼鏡装置の主光学系よりも瞳側に配される視度調整用装置であって、
屈折力が可変とされた接合レンズエレメントを備え、該接合レンズエレメントは、互いに屈折率が異なる第１の流動性物質および第２の流動性物質を光軸に沿って、かつ互いに接合するように容器内に充填されてなるとともに、印加される電圧の変化に応じて、前記第１の流動性物質と前記第２の流動性物質との接合面の形状が変化する構造を有し、
以下の条件式（１）を満足することを特徴とするものである。
【００１１】
０．１＜｜Ｎｄ１−Ｎｄ２｜＜０．５  ・・・  （１）
ただし、
Ｎｄ１：第１の流動性物質のｄ線における屈折率
Ｎｄ２：第２の流動性物質のｄ線における屈折率
【００１２】
また、前記接合レンズエレメントの光入射面と光出射面が、いずれも平面により形成されていることが好ましい。
【００１３】
また、上記視度調整用装置において、上記以下の条件式（２）を満足することが好ましい。
【００１４】
０．０１＜Ｌ／│Ｒ│＜０．１  ・・・  （２）
ただし、
Ｒ：接合レンズエレメントの接合面の最大変形時の曲率半径
Ｌ：接合レンズエレメントの厚み
【００１５】
また、前記視度調整用装置は、前記主光学系を収納する枠体（メカ枠体）に対して挿脱可能とされていることが好ましい。
【００１６】
また、本発明のファインダ装置は、上記いずれかの視度調整用装置を主光学系の瞳側に配してなるとともに、前記接合レンズエレメントに印加する電圧を出力する電圧印加回路を備えていることを特徴とするものである。
【００１７】
なお、本願明細書において、「視度」とは、「理化学事典（第４版）：岩波書店」の第５２４頁に記載されたジオプトリー［ｄｉｏｐｔｅｒ］を意味するものとする。
【発明の効果】
【００１８】
本発明の視度調整用装置によれば、接合レンズエレメントの屈折力を調整することによって、眼鏡装置の視度を良好に調整することができる。
【００１９】
しかも、この接合レンズエレメントは印加電圧の変化によって容易に、かつ簡易に屈折力を変更することができるので、小型化、軽量化、および取り扱いの利便性を図った簡易な構造の眼鏡装置を得ることができる。
【００２０】
特に、主光学系の瞳側に配してなるとともに、前記接合レンズエレメントに印加する電圧を出力する電圧印加回路を備えることにより、小型化、軽量化、および取り扱いの利便性を図った簡易な構造のファインダ装置を得ることができる。
【発明を実施するための最良の形態】
【００２１】
以下、図面を参照して、本発明の視度調整用装置およびこれを備えたファインダ装置の実施形態を説明する。
【００２２】
図１は、本発明の実施例１に係るファインダ装置の構成図である。
このファインダ装置は、カメラのファインダ装置であって、図１に示すように、物体側から順に、両凸形状のレンズＬおよび両凸形状のプリズムＰからなる主光学系、ならびに接合レンズエレメント２が配設されてなる。なお、図１中、Ｘは光軸を示す。また、接合レンズエレメント２は視度調整用装置を構成する。
【００２３】
接合レンズエレメント２は、互いに屈折率が異なる第１の流動性物質２１および第２の流動性物質２２を光軸Ｘに沿って配置し、かつ互いに接合せしめて容器２４内に充填されてなるとともに、電圧印加回路５０から印加される電圧の変化に応じて、第１の流動性物質２１と第２の流動性物質２２との接合面２３の形状が変化する構造を有しており、この接合面２３の形状が変化することにより屈折力が変化するようになっている。なお、この接合レンズエレメント２の光入射端面および光出射端面はいずれも平面となるように構成されている。
【００２４】
この接合レンズエレメント２は、例えば、オランダ・フィリップス社製のＦｌｕｉｄ  Ｆｏｃｕｓレンズとして知られており、光軸Ｘ方向の両端面が透明とされた筒状の容器中に、屈折率が互いに異なる導電性の水溶性液体（例えば第１の流動性物質２１）と、非導電性の油性液体（例えば第２の流動性物質２２）を封入してなり、該容器への印加電圧の切替に応じ、水溶性液体と油性液体との境界面形状を表面張力により変化させることによって屈折力を変化させることができるようになっている。すなわち、所定の屈折力をもたせる場合、例えば接合レンズエレメント２の接合面２３は図２（Ａ）に示すような曲面形状（曲面の断面が示されている：曲面形状は模式的に誇張して描かれている）とされ、屈折力をもたせない場合には、例えば接合レンズエレメント２の接合面２３は図２（Ｂ）に示すような平面形状（平面の断面が示されている）とされる。
【００２５】
また、接合レンズエレメント２に対して電圧印加回路５０から印加される電圧値は、図示されない設定スイッチの設定によりなされる。なお、設定スイッチの設定はＯＮ/ＯＦＦの２値切換であってもよいし、３値以上の多段階切換であってもよい。
【００２６】
また、この接合レンズエレメント２は、以下の条件式（１）、（２）を満足する。
【００２７】
０．１＜｜Ｎｄ１−Ｎｄ２｜＜０．５  ・・・  （１）
０．０１＜Ｌ／│Ｒ│＜０．１  ・・・  （２）
ただし、
Ｎｄ１：第１の流動性物質のｄ線における屈折率
Ｎｄ２：第２の流動性物質のｄ線における屈折率
Ｒ：接合レンズエレメントの接合面の最大変形時の曲率半径
Ｌ：接合レンズエレメントの厚み
【００２８】
以下、上記条件式（１）、（２）の技術的意義を説明する。
【００２９】
すなわち、条件式（１）は、接合レンズエレメント２において接合された２つの流動性物質の屈折率の差の絶対値Ｎｄ１−Ｎｄ２を規定する条件式である。この条件式（１）において、Ｎｄ１−Ｎｄ２の絶対値が下限を下回ると、接合面２３の曲率半径Ｒの変化に対する視度の変化が小さくなり、効率的な視度調整を行うことができない。一方、上限を上回ると、一般に高屈折材料の光透過率が低下する（黄色味を帯びる）等の問題が生じるので、高性能の製品を作成することが困難になる。
【００３０】
また、条件式（２）は、上記接合レンズエレメント２の接合面２３の最大変形時の曲率半径Ｒに対する接合レンズエレメント２の厚みを規定するもので、下限を下回るとＲの変形度に対して接合レンズエレメント２の厚みが小さ過ぎてしまい、製造上好ましくない。また、上限を上回ると、接合レンズエレメント２の厚みが大きくなり、その結果最終射出面からアイポイント１までの距離（アイレリーフ）が短くなってしまい、使い勝手が悪くなる。
【００３１】
＜実施例１＞
以下、実施例１のファインダ装置について具体的なデータを示す。なお、図１に示す装置の光学系について、光軸方向の距離関係の理解が容易となるように、図３に、光軸方向展開構成図を示す。
【００３２】
下記表１に、実施例１のファインダ装置について、各レンズ面等の曲率半径Ｒ（ｍｍ）、各レンズ等の軸上面間隔（各レンズの中心厚および各レンズ間の空気間隔）Ｄ（ｍｍ）、各レンズのｄ線における屈折率Ｎdおよびアッベ数νdを示す。なお、表１において、各記号に対応させた数字は物体側から順次増加するようになっている。また表１において、面５、６、７は各々、接合レンズエレメント２の光入射面、接合面、光出射面を表す。
【００３３】
また、下記表１において面番号の左側に＊を付した面は非球面であることを表しており、各非球面は下記非球面式により表される。
【００３４】
【数１】
2006276484.tif 000003
【００３５】
【表１】
2006276484.tif 000004
【００３６】
下記表２に、上記非球面に関する離心率Ｋおよび、４次、６次、８次、１０次の各非球面係数Ａ４、Ａ６、Ａ８、Ａ10、の値を示す。
【００３７】
【表２】
2006276484.tif 000005
【００３８】
また、下記表３には、実施例１のファインダ装置における、上記条件式（１）、（２）の各値を示す。
【００３９】
また、表１において、接合レンズエレメント２の接合面２３の曲率半径は９４．３１とされているが、これにより+３ディオプタの調整量となる。
【００４０】
なお、接合レンズエレメント２の接合面２３の曲率半径が−９４．３１とされた場合は、−３ディオプタの調整量となる。このとき、光軸Ｘに沿った厚みは、第１の流動性物質２１によるレンズが１．０１、第２の流動性物質２２によるレンズが０．９９となる。
【００４１】
さらに、視度の調整を行わないときには、上記接合面２３の曲率半径は∞とされる（図１、図２（Ｂ）に示される状態）。
【００４２】
また、下記表３から明らかなように、実施例１のファインダ装置（視度調整用装置）は、上記条件式（１）、（２）を満足している。
【００４３】
【表３】
2006276484.tif 000006
【００４４】
なお、接合レンズエレメント２とともにファインダ装置の光学系を構成する主光学系は実施例１のものに限られるものではなく、例えば接合レンズエレメント以外のエレメントは１つとしてもよいし、３つ以上としてもよい。
【００４５】
また、視度調整用装置は、例えば眼鏡装置の主光学系を収納する枠体１０の瞳側の端面部に対して、装着可能な取り付け部を有しているようにしてもよく、例えば、該枠体１０に対して視度調整用装置全体を螺着するように構成しておいてもよい。勿論、視度調整用装置を最初から眼鏡装置の内部に組み込むようにしておいてもよい。
【図面の簡単な説明】
【００４６】
【図１】本発明の実施例１に係るファインダ装置の構成図
【図２】図１に示された接合レンズエレメントにおいて、電圧印加に応じた接合面の変化状態を説明するための図
【図３】図１に示すファインダ装置の光学系の光軸方向展開構成図
【符号の説明】
【００４７】
１    アイポイント
２    接合レンズエレメント
１０    枠体
２１  第１の流動性物質
２２  第２の流動性物質
２３  接合面
２４  容器
５０  電圧印加回路
Ｌ  レンズ
Ｐ  プリズム
【図１】
2006276484.tif 000007
【図２】
2006276484.tif 000008
【図３】
2006276484.tif 000009